(57)【要約】  物体を壁の上に取り付けることを補助する装置であって、装置は、物体が取り付けられる壁に当接して保持されるように形作られ、かつ構成された本体と、本体から外方に延びるように構成された細長い部材と、細長い部材をその中を通して相補的に受けるための開口部を定める位置決め手段とを含み、該開口部は、位置決め手段が細長い部材の長さの実質的な部分に沿って移動することを可能にするためのものであり、位置決め手段の外方に延びるように構成された、壁の上に取り付けられる物体がその上に取り付けられることを可能にするように構成された取り付け構造と、位置決め手段を細長い部材上の所望の位置に保持するための、細長い部材及び位置決め手段の開口部上に配置された相補的な雄雌嵌合構造を含む保持手段とをさらに含む。【選択図】図１１
2013503725.tif 000002
【特許請求の範囲】
【請求項１】
物体を壁に取り付けることを補助する装置であって、
前記物体が取り付けられる壁に当接して保持されるように形作られ、かつ構成された本体と、
前記本体から外方に延びるように構成された細長い部材と、
前記細長い部材をその中を通して相補的に受けるための開口部を定める位置決め手段と
を含み、前記開口部は、前記位置決め手段が前記細長い部材の長さの実質的な部分に沿って移動することを可能にするためのものであり、
前記位置決め手段を外方に延ばすように構成された、前記壁に取り付けられる物体がその上に取り付けられることを可能にするように構成された取り付け構造と、
前記位置決め手段を前記細長い部材上の所望の位置に保持するための、前記細長い部材及び前記位置決め手段の開口部上に配置された相補的な雄雌嵌合構造を含む保持手段と
をさらに含むことを特徴とする装置。
【請求項２】
前記装置を前記壁に連結させるためのいずれかの適切な連結手段をその中を通して受けるための孔が、前記本体内に定められることを特徴とする、請求項１に記載の装置。
【請求項３】
前記連結手段が、いずれかの適切な釘又は壁用プラグを含むことを特徴とする、請求項２に記載の装置。
【請求項４】
前記細長い部材が、前記本体に一体化して形成されることを特徴とする、請求項１〜請求項３のいずれかに記載の装置。
【請求項５】
前記本体が、前記装置が有効に取り付けられた状態において前記細長い部材が前記壁から離間されるように、前記細長い部材より厚くなっていることを特徴とする、請求項４に記載の装置。
【請求項６】
前記位置決め手段が、概ね平行六面体の開口部又は通路を定めるスリーブの形態であることを特徴とする、請求項１〜請求項５のいずれかに記載の装置。
【請求項７】
前記取り付け構造が、取り付け対象物体が有効に吊り下げられた状態において前記取り付け対象物体のつなぎ部材をその中に係留して保持するために、概ねフック形状であることを特徴とする、請求項１〜請求項６のいずれかに記載の装置。
【請求項８】
前記相補的な雄雌嵌合構造が、ラック−ラチェット又はギア−ラチェット組立体の形態であることを特徴とする、請求項１〜請求項７のいずれかに記載の装置。
【請求項９】
前記ラック−ラチェット又はギア−ラチェット組立体のギア又はラックが、前記細長い部材を長手方向に延ばすように配置されることを特徴とする、請求項８に記載の装置。
【請求項１０】
前記ギア又はラックは、前記細長い部材内にその長さに実質的に沿って定められた複数の概ねくさび形又は鋸歯形の凹部によって形成されることを特徴とする、請求項９に記載の装置。
【請求項１１】
前記ラック−ラチェット又はギア−ラチェット組立体のラチェットが、前記開口部又は通路を定める内壁から内方に延びる又は下垂するように配置されることを特徴とする、請求項８〜請求項１０のいずれかに記載の装置。
【請求項１２】
前記ラチェットが、概ねくさび形に形作られ、前記開口部の前記壁を内方に延ばすように付勢されることを特徴とする、請求項１１に記載の装置。
【請求項１３】
前記ラチェット及び／又はギアが、互いの間の相補的な相互係合を容易にする、いずれかの適切な弾性変形可能な材料から形成されることを特徴とする、請求項１２に記載の装置。
【請求項１４】
前記凹部は、前記ラチェットが前記細長い部材の自由端から前記本体に向かって移動することを容易にするように、かつ反対方向の移動を妨げるように方向付けられることを特徴とする、請求項１４に記載の装置。
【請求項１５】
前記保持手段が、前記位置決め手段を、それに対して所望の位置にある前記細長い部材に対して所定位置に保持するための、いずれかの適切な締まり嵌め組立体を含むことを特徴とする、請求項１に記載の装置。
【請求項１６】
前記装置の前記部分及び／又は構成要素のうちのいずれか１つ又はそれ以上が、いずれかの適切な合成プラスチック材料から形成されることを特徴とする、請求項１〜請求項１５のいずれかに記載の装置。
【請求項１７】
前記装置の前記部分及び／又は構成要素のうちのいずれか１つ又はそれ以上が、いずれかの適切なナイロン又はポリアミド材料から形成されることを特徴とする、請求項１〜請求項１６のいずれかに記載の装置。
【請求項１８】
前記装置の前記部分及び／又は構成要素のうちのいずれか１つ又はそれ以上が、いずれかの適切なガラス繊維ポリアミド複合材料から形成されることを特徴とする、請求項１〜請求項１７のいずれかに記載の装置。
【請求項１９】
物体を壁に取り付けることを補助する装置であって、
前記物体が取り付けられる壁に当接して保持されるように形作られ、かつ構成された本体と、
使用の際に前記物体が取り付けられる、その一端に配置された取り付け構造を有する細長い部材と、
前記細長い部材をその中を通して相補的に受けるための開口部又は通路を定め、前記開口部又は通路が、前記細長い部材がその長さに実質的に沿って前記本体に対して移動することを可能にするためのものである、前記本体上に配置された受け入れ手段と、
前記細長い部材及びそれと共に前記取り付け構造を前記本体に対して所望の位置に保持するための、前記細長い部材及び前記受け入れ手段の開口部上に配置された相補的な雄雌嵌合構造を含む保持手段と
を含むことを特徴とする装置。
【請求項２０】
前記装置を前記壁に連結させるためのいずれかの適切な連結手段をその中を通して除去するための孔が、前記本体内に定められることを特徴とする、請求項１９に記載の装置。
【請求項２１】
前記連結手段が、適切な壁用釘又は壁用プラグを含むことを特徴とする、請求項２０に記載の装置。
【請求項２２】
前記受け入れ手段が、前記本体に一体化して形成されることを特徴とする、請求項１９〜請求項２１のいずれかに記載の装置。
【請求項２３】
前記受け入れ手段が、概ね平行六面体の開口部又は通路を定めるスリーブの形態であることを特徴とする、請求項１９〜請求項２２のいずれかに記載の装置。
【請求項２４】
前記取り付け構造が、取り付け対象物体が有効に吊り下げられた状態において前記取り付け対象物体のつなぎ部材をその中に係留して保持するために、概ねフック形状であることを特徴とする、請求項１９〜請求項２３のいずれかに記載の装置。
【請求項２５】
前記相補的な雄雌嵌合構造が、ラック−ラチェット又はギア−ラチェット組立体の形態であることを特徴とする、請求項１９〜請求項２４のいずれかに記載の装置。
【請求項２６】
前記ラック−ラチェット又はギア−ラチェット組立体のギア又はラックが、前記長い部材を長手方向に延ばすように配置されることを特徴とする、請求項２５に記載の装置。
【請求項２７】
前記ラック−ラチェット又はギア−ラチェット組立体のラチェットが、前記開口部又は通路を定める内壁から内方に延びる又は下垂するように配置されることを特徴とする、請求項２５〜請求項２６のいずれかに記載の装置。
【請求項２８】
前記ラチェットが、概ねくさび形に形作られ、前記開口部の壁を内方に延ばすように付勢されることを特徴とする、請求項２７に記載の装置。
【請求項２９】
前記ラチェット及び／又はギアが、互いの間の相補的な相互係合を容易にする、いずれかの適切な弾性変形可能な材料から形成されることを特徴とする、請求項２８に記載の装置。
【請求項３０】
前記ギア又はラックは、前記細長い部材内にその長さに実質的に沿って定められた複数の概ねくさび形又は鋸歯形の凹部によって形成されることを特徴とする、請求項２９に記載の装置。
【請求項３１】
前記凹部は、前記ラチェットが前記細長い部材の自由端から前記本体に向かって移動することを容易にするように、かつ反対方向の移動を妨げるように方向付けられることを特徴とする、請求項３０に記載の装置。
【請求項３２】
前記保持手段が、前記細長い部材を、それに対して所望の位置にある前記受け入れ手段に対して所定位置に保持するための、いずれかの適切な締まり嵌め組立体を含むことを特徴とする、請求項１９に記載の装置。
【請求項３３】
前記装置の前記部分及び／又は構成要素のうちのいずれか１つ又はそれ以上が、いずれかの適切な合成プラスチック材料から形成されることを特徴とする、請求項１９〜請求項３２のうちのいずれかに記載の装置。
【請求項３４】
前記装置の前記部分及び／又は構成要素のうちのいずれか１つ又はそれ以上が、いずれかの適切なナイロン材料から形成されることを特徴とする、請求項１９〜請求項３３のいずれかに記載の装置。
【請求項３５】
前記装置の前記部分及び／又は構成要素のうちのいずれか１つ又はそれ以上が、いずれかの適切なガラス繊維ポリアミド複合材料から形成されることを特徴とする、請求項１９〜請求項３４のうちのいずれかに記載の装置。
【請求項３６】
実質的にここに記載された及び／又は添付の図面を参照する、いずれかの新規性かつ進歩性を有する完全体又は完全体の組み合わせを含むことを特徴とする装置。
【発明の詳細な説明】
【技術分野】
【０００１】
本発明は、物体、典型的には絵画などを壁に取り付けることを補助するための装置に関する。
【発明の概要】
【０００２】
本発明の第１の態様によれば、物体を壁に取り付けることを補助するための装置が提供され、この装置は、
物体が取り付けられる壁に当接して保持されるように形作られ、かつ構成された本体と、
本体から外方に延びるように構成された細長い部材と、
細長い部材をその中を通して相補的に受けるための開口部を定める位置決め手段と
を含み、該開口部は、位置決め手段が細長い部材の長さの実質的な部分に沿って移動を可能にするためのものであり、この装置は、
位置決め手段の外方に延びるように構成された、壁に取り付けられる物体がその上に取り付けられることを可能にするように構成された取り付け構造と、
位置決め手段を細長い部材上の所望の位置に保持するための、細長い部材及び位置決め手段の開口部上に配置された相補的な雄雌嵌合構造を含む保持手段と
をさらに含む。
【０００３】
装置を壁に連結させるためのいずれかの適切な連結手段をその中を通して受けるための孔を、本体内に定めることができる。連結手段は、いずれかの適切な釘又は壁用プラグを含むことができる。
【０００４】
細長い部材は、本体に一体化して形成することができる。本体は、概ね円形形状とすることができ、装置が有効に取り付けられた状態において細長い部材が壁から離間されるように、細長い部材より厚くすることができる。
【０００５】
位置決め手段は、概ね平行六面体の開口部又は通路を定めるスリーブの形態とすることができる。
【０００６】
取り付け構造は、取り付け対象物体が有効に吊り下げられた状態において取り付け対象物体のつなぎ部材をその中に係留して保持するために、概ねフック形状とすることができる。
【０００７】
相補的な雄雌嵌合構造は、ラック−ラチェット又はギア−ラチェット組立体の形態とすることができる。ラック−ラチェット又はギア−ラチェット組立体のギア又はラックは、細長い部材を長手方向に延ばすように配置することができる。ギア又はラックは、細長い部材内にその長さに実質的に沿って定められた複数の概ねくさび形又は鋸歯形の凹部によって形成することができる。ラック−ラチェット又はギア−ラチェット組立体のラチェットは、開口部又は通路を定める内壁から内方に延びる又は下垂するように配置することができる。ラチェットは、概ねくさび形に形作ることができ、開口部の壁をギア又はラックに向けて内方に延ばすように付勢することができる。ラチェット及び／又はギアは、互いの間の相補的な相互係合を容易にする、いずれかの適切な弾性変形可能な材料から形成することができる。
【０００８】
凹部は、ラチェットが細長い部材の自由端から本体に向かって移動することを容易にするように、かつ反対方向の移動を妨げるように方向付けることができる。
【０００９】
しかしながら、保持手段は、位置決め手段を、それに対して所望の位置にある細長い部材に対して所定位置に保持するための、いずれかの適切な締まり嵌め組立体を含むことができることが理解される。
【００１０】
装置の部分及び／又は構成要素のうちのいずれか１つ又はそれ以上を、いずれかの適切な合成プラスチック材料から形成することができる。装置の部分及び／又は構成要素のうちのいずれか１つ又はそれ以上を、いずれかの適切なナイロン又はポリアミド材料から形成することができる。好ましくは、装置の部分及び／又は構成要素のうちの１つ又はそれ以上を、典型的にはガラス繊維含量がその１５％である、いずれかの適切なガラス繊維ポリアミド複合材料から形成することができる。
【００１１】
本発明の第２の態様によれば、物体を壁に取り付けることを補助する装置が提供され、装置は、
物体が取り付けられる壁に当接して保持されるように形作られ、かつ構成された本体と、
使用の際に物体が取り付けられる、その一端に配置された取り付け構造を有する細長い部材と、
細長い部材をその中を通して相補的に受けるための開口部又は通路を定め、該開口部又は通路が、細長い部材が長さに実質的に沿って本体に対して移動することを可能にするためのものである、本体上に配置された受け入れ手段と、
細長い部材及びそれと共に取り付け構造を本体に対して所望の位置に保持するための、細長い部材及び受け入れ手段の開口部上に配置された相補的な雄雌嵌合構造を含む保持手段と
を含む。
【００１２】
装置を壁に連結させるためのいずれかの適切な連結手段をその中を通して受けるための孔を、本体内に定めることができる。連結手段は、いずれかの適切な壁用釘又は壁用プラグを含むことができる。
【００１３】
受け入れ手段は、本体に一体化して形成することができる。受け入れ手段は、概ね平行六面体の開口部又は通路を定めることができる、スリーブの形態とすることができる。
【００１４】
取り付け構造は、取り付け対象物体が有効に吊り下げられた状態において取り付け対象物体のつなぎ部材をその中に係留して保持するために、概ねフック形状とすることができる。
【００１５】
相補的な雄雌嵌合の構造は、ラック−ラチェット又はギア−ラチェット組立体の形態とすることができる。ラック−ラチェット又はギア−ラチェット組立体のギア又はラックは、細長い部材を長手方向に延ばすように配置することができる。ラック−ラチェット又はギア−ラチェット組立体のラチェットは、開口部又は通路を定める内壁からラック又はギアに向かって内方に延びる又は下垂するように配置することができる。
【００１６】
ラチェットは、概ねくさび形に形作ることができ、開口部の壁をギア又はラックに向けて内方に延ばすように付勢することができる。ラチェット及び／又はギアは、互いの間の相補的な相互係合を容易にする、いずれかの適切な弾性変形可能な材料から形成することができる。ギア又はラックは、細長い部材内にその長さに実質的に沿って定めることができる、複数の概ねくさび形又は鋸歯形の凹部によって形成することができる。凹部及びラチェットは、ラチェットが細長い部材の自由端から本体に向かって移動することを容易にするように、かつ反対方向の移動を妨げるように方向付けることができる。
【００１７】
保持手段は、細長い部材を、それに対して所望の位置にある受け入れ手段に対して所定位置に保持するための、いずれかの適切な締まり嵌め組立体を含むことができる。
【００１８】
上述の装置の部分及び／又は構成要素のうちのいずれか１つ又はそれ以上を、いずれかの適切な合成プラスチック材料から形成することができる。装置の部分及び／又は構成要素のうちのいずれか１つ又はそれ以上を、いずれかの適切なナイロン又はポリアミド材料から形成することができる。好ましくは、装置の部分及び／又は構成要素のうちの１つ又はそれ以上を、典型的にはガラス繊維含量がその１５％である、いずれかの適切なガラス繊維のポリアミド複合材料から形成することができる。
【００１９】
装置は、本体を壁に取り付けることを補助する付属品を含むことができ、付属品は、本体を相補的に受けるためにその中に定められた凹部を有する基部と、Ｈｉｌｔｉ（登録商標）取り付け装置の端部を相補的に受けるように構成された、基部から延びた位置決め構造とを有する。付属品は、いずれかの適切な弾性変形可能な材料から形成することができる。
【００２０】
本発明による物体を壁に取り付けることを補助する装置を、ここで、例示のみの目的で、添付の図面を参照して説明する。
【図面の簡単な説明】
【００２１】
【図１】本発明による物体を壁に取り付けることを補助する装置の第１の実施形態の正面図を示す。
【図２】本発明による物体を壁に取り付けることを補助する装置の第１の実施形態の側断面図を示す。
【図３】本発明による物体を壁に取り付けることを補助する装置の第１の実施形態の側断面図を示す。
【図４】装置の第２の実施形態の側断面図を示す。
【図５】装置の第２の実施形態の側断面図を示す。
【図６】装置の第２の実施形態の側断面図を示す。
【図７】装置の第３の実施形態の側断面図を示す。
【図８】装置の第３の実施形態の側断面図を示す。
【図９】装置の第３の実施形態の側断面図を示す。
【図１０】壁への取り付けを補助するための第３の実施形態の部材の三次元図を示す。
【図１１】本発明による装置の第４の実施形態の三次元図を示す。
【図１２】本発明による装置の第４の実施形態の断面図を示す。
【発明を実施するための形態】
【００２２】
ここで、図１から図３を参照すると、参照番号１０は、本発明による、絵画（図示せず）のような物体を壁１２に取り付けることを補助する装置の第１の実施形態を全体として示す。
【００２３】
装置１０は、概ね涙形の本体１４を含み、これは、本体１４の先細り部分に一体化して形成されたスリーブ１６の形態の受け入れ手段を有する。スリーブ１６は、ケーブルタイの形態の細長い部材２０の自由端をその中を通して受けるように構成された及び／又は形作られた、概ね平行六面体の通路１８を定め、ユーザの要求に応じて、壁に対する絵画の位置を実質的に垂直方向に調節することを可能にするように、本体１４と細長い部材２０との間の相対的な移動を可能にする。細長い部材２０は、その反対側の端部に配置された、壁１２に取り付けられる絵画の例えば絵画用ワイヤ（図示せず）を受けるための概ねフック形状の取り付け構造２２を有する。
【００２４】
スリーブ１６内で所望の位置に細長い部材２０を保持するために、ギア−ラチェット又はラック−ラチェット組立体の形態の保持手段が設けられる。より具体的には、ラック−ラチェット組立体は、細長い部材２０の自由端とフック２２との間に延びるラック２４と、スリーブ１６の内側から角度を成して内方に延びるラチェット２６とによって設けられる。動作中に、細長い部材２０の自由端は、所望の位置に達するまで、スリーブ１６を通して引っ張られる。ラチェット２６の角度は、ラック２４が矢印２８の方向にスリーブ１６に向かって引っ張られることを可能にする役割を果たす一方で、ラチェット２６の端部とラック２４の部材との係合の角度の結果として、反対方向への移動に抵抗する。
【００２５】
装置１０の本体１４、スリーブ１６及び細長い部材２０は、いずれかの適切な弾性変形可能な材料、典型的には、いずれかの適切な合成プラスチック材料から形成される。
【００２６】
装置１０は、さらに、本体１４を孔３２を介して壁１２に連結するための壁用釘３０の形態の連結手段を含む。図２及び図３において最も良く分かるように、孔３２は、釘３０の自由端の上に締まり嵌め方式で嵌まる相補的なキャップ３６を受けるように形成された、釘３０を孔３２に実質的に見当合わせされた状態で維持する役割を果たす、肩部３４を有する。
【００２７】
図４から図６に示される第２の実施形態において、本体１４は、壁用プラグ３８とねじ４０との構成によって壁１２に連結される。
【００２８】
図７から図１０に示される第３の実施形態において、本体１４は、釘３０を壁１２に釘打ちするためのＨｉｌｔｉ（登録商標）釘用締結具４２を用いて、壁１２に連結される。この実施形態において、Ｈｉｌｔｉ（登録商標）釘締結具４２を用いて釘３０を壁１２の中へと打ち込むことを補助するために、付属品４４（図１０に図示）が提供され、この付属品４４は、本体１４を相補的に受けるためにその中に定められた凹部４８及び穴５０を有する基部４６と、Ｈｉｌｔｉ（登録商標）締結具４２の端部を相補的に受けるように構成された、基部４６から延びた位置決め構造５２とを有する。付属品４４は、いずれかの適切な弾性変形可能な材料から形成される。
【００２９】
ここで、図１１及び図１２を参照すると、参照番号１１０は、本発明による、絵画（図示せず）のような物体を壁（図示せず）に取り付けることを補助する装置の第４の実施形態を全体として示す。
【００３０】
装置１１０は、そこから外方に延びるように構成された細長い部材１１４有する本体１１２と、スリーブ１１６の形態の位置決め手段とを含み、スリーブ１１６は、細長い部材１１４をその中を通して相補的に受けるための、スリーブ１１６が細長い部材の長さの実質的な部分に沿って移動することを可能にする、概ね平行六面体の開口部１１８を定める。フック１２０の形状の取り付け構造が、スリーブ１１６を外方に延ばすように構成される。スリーブ１１６及びフック１２０を細長い部材１１４上の所望の位置に保持するために、ラック−ラチェット又はギア−ラチェット組立体１２２の形態の保持手段が設けられる。
【００３１】
装置１１０を壁に連結するために、釘、ねじ又は壁用プラグのようないずれかの適切な連結手段をその中を通して受けるための孔１２４が、本体１１２の中に定められる。
【００３２】
細長い部材１１４は、本体１１２に一体化して形成される。本体１１２は、細長い部材１１４より厚いので、装置が有効に取り付けられた状態において、細長い部材１１４は、壁から離間される。
【００３３】
フック１２０は、取り付け対象物体が有効に吊り下げられた状態において取り付け対象物体のつなぎ部材（ｔｉｅ  ｍｅｍｂｅｒ）をその中に係留して保持するように、形作られる。
【００３４】
ラック−ラチェット又はギア−ラチェット組立体１２２のギア又はラック１２６は、細長い部材を長手方向に延ばすように配置される。ギア又はラックは、細長い部材１１４内にその長さに実質的に沿って定められた、複数の概ねくさび形又は鋸歯形の凹部１２８によって形成される。ラック−ラチェット又はギア−ラチェット組立体１２２の概ねくさび形のラチェット１３０は、開口部１１８を定める内壁から内方に延びる又は下垂するように配置される。ラチェット１３０は、開口部１１８の壁を内方にギア又はラック１２６に向けて延ばすように付勢される。ラチェット１３０及びギア１２６は、互いの間の相補的な相互係合を容易にする、いずれかの適切な弾性変形可能な材料から形成される。
【００３５】
凹部１２８及びラチェット１３０は、ラチェット１３０がフック１２０と共に細長い部材１１４の自由端から本体１１２に向かって移動することを容易にするように、かつ反対方向の移動を妨げるように、方向付けられ及び／又は傾けられる。凹部１２８は、ユーザの要求に応じた絵画の調節及び／又は位置合わせを容易にするために、典型的には１ｍｍごとの間隔で離間配置される。
【００３６】
本発明による装置は、現在市場で入手可能な調節可能な絵画用ハンガの、費用効果が高く、かつ簡素な代替物を提供するという点で有利であることを、出願人は確信する。
【００３７】
上で説明された装置は、上記で述べたとおりの構造上の詳細に限定されるものではなく、所望に応じて変更することできることが理解される。
【符号の説明】
【００３８】
１０、１１０  装置
１２  壁
１４、１１２  本体
１６、１１６  スリーブ
１８、１１８  開口部又は通路
２０、１１４  細長い部材
２２、１２０  フック
２４、１２６  ラック
２６、１３０  ラチェット
３０  釘
３２、１２４  孔
３８  壁プラグ
４０  ねじ
４２  釘用締結具
４４  付属品
１２２  ラック−ラチェット又はギア−ラチェット組立体
１２８  凹部
【図１】
2013503725.tif 000003
【図２】
2013503725.tif 000004
【図３】
2013503725.tif 000005
【図４】
2013503725.tif 000006
【図５】
2013503725.tif 000007
【図６】
2013503725.tif 000008
【図７】
2013503725.tif 000009
【図８】
2013503725.tif 000010
【図９】
2013503725.tif 000011
【図１０】
2013503725.tif 000012
【図１１】
2013503725.tif 000013
【図１２】
2013503725.tif 000014
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
物体を壁に取り付けることを補助する装置であって、
前記物体が取り付けられる壁に当接して保持されるように形作られ、かつ構成された本体と、
前記本体から外方に延びるように構成された細長い部材と、
前記細長い部材をその中を通して相補的に受けるための開口部を定める、スリーブの形態の位置決め手段と
を含み、前記開口部は、前記位置決め手段が前記細長い部材の長さの実質的な部分に沿って移動することを可能にするためのものであり、
前記位置決め手段を外方に延ばすように構成された、前記壁に取り付けられる物体がその上に取り付けられることを可能にするように構成された取り付け構造と、
前記位置決め手段を前記細長い部材上の所望の位置に保持するための、前記細長い部材及び前記位置決め手段の開口部上に配置された相補的な雄雌嵌合構造を含む保持手段と
をさらに含むことを特徴とする装置。
【請求項２】
前記スリーブが、概ね平行六面体の開口部又は通路を定めることを特徴とする、請求項１に記載の装置。
【請求項３】
前記装置を前記壁に連結させるためのいずれかの適切な連結手段をその中を通して受けるための孔が、前記本体内に定められることを特徴とする、請求項１又は２に記載の装置。
【請求項４】
前記細長い部材が、前記本体に一体化して形成されることを特徴とする、請求項１乃至３のいずれか１項に記載の装置。
【請求項５】
前記本体が、前記装置が有効に取り付けられた状態において前記細長い部材が前記壁から離間されることができるように、前記細長い部材より厚くなっていることを特徴とする、請求項４に記載の装置。
【請求項６】
前記取り付け構造が、取り付け対象物体が有効に吊り下げられた状態において前記取り付け対象物体の取り付け部材をその中に係留して保持するために、概ねフック形状であることを特徴とする、請求項１乃至５のいずれか１項に記載の装置。
【請求項７】
前記相補的な雄雌嵌合構造が、ラック−ラチェット組立体の形態であることを特徴とする、請求項１乃至６のいずれか１項に記載の装置。
【請求項８】
前記ラック−ラチェット組立体のラックが、前記細長い部材を長手方向に延ばすように配置されることを特徴とする、請求項７に記載の装置。
【請求項９】
前記ラック−ラチェット組立体のラチェットが、概ねくさび形に形作られ、前記スリーブの内壁を内方に延ばすように付勢されることを特徴とする、請求項７又は８に記載の装置。
【請求項１０】
ラックは、前記ラチェットが前記細長い部材の自由端から前記本体に向かって移動することを容易にするように、かつ前記ラチェットとそれと共に前記スリーブが反対方向に移動することを妨げるように方向付けられることを特徴とする、請求項７乃至９のいずれか１項に記載の装置。
【請求項１１】
物体を壁に取り付けることを補助する装置であって、
前記物体が取り付けられる壁に当接して保持されるように形作られ、かつ構成された本体と、
使用の際に前記物体が取り付けられる、その一端に配置された取り付け構造を有する細長い部材と、
前記細長い部材をその中を通して相補的に受けるための開口部又は通路を定め、前記開口部又は通路が、前記細長い部材がその長さに実質的に沿って前記本体に対して移動することを可能にするためのものである、前記本体上に配置されたスリーブの形態の受け入れ手段と、
前記細長い部材及びそれと共に前記取り付け構造を前記本体に対して所望の位置に保持するための、前記細長い部材及び前記受け入れ手段の開口部上に配置された相補的な雄雌嵌合構造を含む保持手段と
を含むことを特徴とする装置。
【請求項１２】
前記スリーブが、概ね平行六面体の開口部又は通路を定めることを特徴とする請求項１１に記載の装置。
【請求項１３】
前記装置を前記壁に連結させるためのいずれかの適切な連結手段をその中を通して受けるための孔が、前記本体内に定められることを特徴とする、請求項１０又は１１に記載の装置。
【請求項１４】
前記取り付け構造が、取り付け対象物体が有効に吊り下げられた状態において前記取り付け対象物体のつなぎ部材をその中に係留して保持するために、概ねフック形状であることを特徴とする、請求項１０乃至１３のいずれか１項に記載の装置。
【請求項１５】
前記相補的な雄雌嵌合構造が、ラック−ラチェット組立体の形態であることを特徴とする、請求項１０乃至１４のいずれか１項に記載の装置。
【請求項１６】
前記ラック−ラチェット組立体のラックが、前記長い部材を長手方向に延ばすように配置されることを特徴とする、請求項１５に記載の装置。
【請求項１７】
前記ラック−ラチェット組立体のラチェットが、概ねくさび形に形作られ、前記スリーブの内壁を内方に延ばすように付勢されることを特徴とする、請求項１５又は１６に記載の装置。
【請求項１８】
前記ラックは、前記ラチェットが前記細長い部材の自由端から前記本体に向かって移動することを容易にするように、かつ前記ラチェット及びそれと共に前記スリーブが反対方向に移動することを妨げるように方向付けられることを特徴とする、請求項１７に記載の装置。
【請求項１９】
前記装置の前記部分及び／又は構成要素のうちのいずれか１つ又はそれ以上が、いずれかの適切な合成プラスチック材料から形成されることを特徴とする、請求項１乃至１８のいずれか１項に記載の装置。
【国際調査報告】
2013503725.tif 000015
2013503725.tif 000016
2013503725.tif 000017
2013503725.tif 000018